(57)【要約】【課題】本発明では、ホルダー装置の形状をよりシンプルにでき、コストも抑え、確実に、且つ、容易に取り付けることができるホルダー装置の提供を目的とする。【解決手段】展示台１３に形成した開口部２７に半割り状の商品見本体１６を立設状態で着脱可能に取り付けるためのホルダー装置３１、６１、８１、１０１であって、前記開口部２７に対して着脱可能に嵌合する取り付け部３３、６３、８３、１０２を下部に形成し、前記取り付け部３３、６３、８３、１０２の上側に、当該ホルダー装置３１、６１、８１、１０１を支える鍔部３２、６２、８２、１０３を形成し、前記商品見本体１６の外側に対峙する対向保持部２７ａ、８４、１０３に対して対向する部位に、該商品見本体１６の内側から該商品見本体１６の底部２３を押え込んで保持する保持部３３、８５、１０２、１０４を形成したホルダー装置３１、６１、３１、８１、１０１。【選択図】    図２
2004240603.tif 000002
【特許請求の範囲】
【請求項１】
展示台に形成した開口部に縦断半割り状の商品見本体を立設状態で着脱可能に取り付けるためのホルダー装置であって、
前記開口部に対して着脱可能に嵌合する筒状の取り付け部を下部に形成し、
前記取り付け部の上側に、前記開口部の口縁上部に載置される大きさの鍔部を形成し、
前記商品見本体の内側から該商品見本体の底部を、該底部を挟んで対接する対接部に押圧して保持する見本体保持部を形成した
ホルダー装置。
【請求項２】
前記対接部を前記開口部の口縁に設定し、
前記見本体保持部を、前記取り付け部及び前記鍔部に設定した
請求項１に記載のホルダー装置。
【請求項３】
前記筒状の取り付け部の内周面における下部に鍔状の支持縁部を形成し、
前記支持縁部の上面側で、且つ、商品見本体の底部における縦断端部と対向する部位に、前記縦断端部が差し込まれたとき前記商品見本体の底部を前記支持縁部に押圧する、又は／及び、前記取り付け部内周面に押圧する押圧片を形成して
前記対接部を前記支持縁部、又は／及び、前記取り付け部の内側に設定し、
前記見本体保持部を前記押圧片に設定した
請求項１に記載のホルダー装置。
【請求項４】
前記鍔部の上面側で、且つ、立設される前記商品見本体の底部における縦断端部と対向する部位に前記縦断端部が差し込まれたとき、前記商品見本体の底部を前記鍔部の上面に押圧する押圧片を形成して
前記対接部を前記鍔部の上面に設定し、
前記見本体保持部を前記押圧片に設定した
請求項１に記載のホルダー装置。
【請求項５】
前記鍔部に当接する前記底部の外周縁部の少なくとも外周縁部の前部に対応する前記鍔部における部位に、上方へ突出して、前記底部の外周縁部と当接する突出爪を形成した
請求項４に記載のホルダー装置。
【発明の詳細な説明】
【０００１】
【発明の属する技術分野】
この発明は、自動販売機の展示部に形成した開口部に、半割りにしたペットボトル用の商品見本体を立設して取り付けるホルダー装置に関する。
【０００２】
【従来の技術】
一般に半割りにした状態の商品見本体は、展示台への載置面となる底板の面積が小さく、且つ、縦長の形状であることから不安定であるため該見本体の底部を自動販売機における展示台に形成された開口部に取り付けて支持する必要があり、特にペットボトル用の商品見本体の場合、開口部の大きさに対応させるために様々な保持部を備えたホルダー装置が提案されている。
【０００３】
例えば、馬蹄形をしたホルダー装置（特許文献１参照。）が提案されているが、該ホルダー装置の開口部への取り付けは、該ホルダー装置の遊端部を互いに接近させる方向に摘むことで外周長さが小さくなるよう撓み変形させて該開口部の縁部に臨ませる。この状態でホルダー装置の撓み変形を解除することで、開口部の口縁に係合させて取り付ける。その後、該ホルダー装置に対する前記見本体の取り付けは、該商品見本体の底部を内側へ撓み変形させて底部における外周縁部をホルダー装置へ臨ませる。この状態で底部外周部の撓みを解除すれば、ホルダー装置の内周縁と見本体の底板の外周部を係合させることで取り付ける。
【０００４】
上述した取り付け手順のごとく、ホルダー装置と商品見本体をそれぞれ撓み変形させ、且つ、その状態を維持したまま開口部の取り付け高さで臨ませる作業が必要であるため、取り付けの手間を要する。
【０００５】
仮に、上述した一連の取り付け手順と異なり、先にホルダー装置に対して商品見本体体を取り付けて互いを一体にした後、ホルダー装置を開口部に取り付ける場合は、ホルダー装置を撓ませる際、ホルダー装置を介して商品見本体も一緒に撓ませるため、ホルダー装置から商品見本体が外れないように、又は、商品見本体が破損しないように撓み変形させる力加減が難しく取り付け難い。
よって、取り付け手順も所定の手順でしか行うことができず不便である。
【０００６】
また、板状の上面にＵ字形のスナップ部を形成し、下面に係止部を形成したホルダー装置（特許文献２参照。）が提案されている。この場合の開口部、商品見本体への取り付けは、先にホルダー装置に対して見本体を取り付けるが、取り付け方法は、見本体の底部における底板をホルダー装置上面とスナップ部とで挟持させることで取り付ける。このように、ホルダー装置と商品見本体とを一体にした状態でホルダー装置の前記係止部を開口部の口縁に臨ませて、該ホルダー装置を展示台の背面方向にスライドさせ、開口部の口縁へ係止してホルダー装置を取り付ける。
【０００７】
しかし、一般に商品見本体は軽量であり、しかも、商品見本体は風雨等外気に対して直接影響を受けない自動販売機の展示パネルの中で展示されていることから、商品見本体を立設状態に維持するためには、上述したいずれの先行技術のように外部から係止したり、上下から挟持しなくとも基本的に底部を押圧するだけで充分取り付けることができ、開口部に対するホルダー装置の取り付け部も該ホルダー装置の取り付け部と開口部とを嵌合させるだけで容易に、且つ、確実に取り付けることができると考えられる。
【０００８】
【特許文献１】
特開平１４−３０４６５９号公報
【特許文献２】
実用新案登録第３０７７０７４号公報。
【０００９】
【発明が解決しようとする課題】
そこで、本発明では、商品見本本体を押圧することによって確実に、且つ、容易に取り付けることができるホルダー装置の提供を目的とする。
【００１０】
【課題を解決するための手段】
展示台に形成した開口部に縦断半割り状の商品見本体を立設状態で着脱可能に取り付けるためのホルダー装置であって、前記開口部に対して着脱可能に嵌合する筒状の取り付け部を下部に形成し、前記取り付け部の上側に、前記開口部の口縁上部に載置される大きさの鍔部を形成し、前記商品見本体の内側から該商品見本体の底部を、該底部を挟んで対接する対接部に押圧して保持する見本体保持部を形成したホルダー装置であることを特徴とする。
【００１１】
上述する構成を採れば、例えば、前記対接部を前記開口部の口縁に設定し、前記見本体保持部を、前記取り付け部及び前記鍔部に設定することができる。
【００１２】
また、商品見本体、及び、ホルダー装置自体の取り付けは、ホルダー装置自体を商品見本体の底部内側に差し込み、商品見本体の外周部縁部の内側とホルダー装置の鍔部下面とを当接させて行う。
さらに、前述した手順でホルダー装置を商品見本体に差し込んだ状態で、ホルダー装置の取り付け部を展示台の開口部へ嵌合させるとともに、前記鍔部下面を商品見本体の外周縁部を介して開口部の口縁に載置すれば、前記鍔部下面は、ホルダー装置自体の重量によって商品見本体の外周縁部を開口部の口縁に押圧することで保持し、商品見本体を取り付けることができる。
【００１３】
つまり、ホルダー装置を上述のごとく構成すれば、元々、ホルダー装置に形成された取り付け部と鍔部とで商品見本体を取り付けることができ、新たに商品見本体の保持部をホルダー装置自体に形成する必要がないため、コストを抑えることができる。
しかも、開口部に対してホルダー装置を取り付ける時にも、商品見本体を介して一緒に取り付け部と開口部とを嵌合させて取り付けるだけであるため、取り付けの手間を要しない。
【００１４】
他の発明の形態として、前記筒状の取り付け部の内周面における下部に鍔状の支持縁部を形成し、前記支持縁部の上面側で、且つ、商品見本体の底部における縦断端部と対向する部位に、前記縦断端部が差し込まれたとき前記商品見本体の底部を前記支持縁部に押圧する、又は／及び、前記取り付け部内周面に押圧する押圧片を形成して前記対接部を前記支持縁部、又は／及び、前記取り付け部の内側に設定し、前記見本体保持部を前記押圧片に設定することができる。
【００１５】
この構成によれば、商品見本体をホルダー装置の内周面に嵌合させ、例えば支持縁部に平行な押圧片で形成すれば、該押圧片を縦断端部に差し込み、商品見本体の底部を支持縁部に押圧して商品見本体を保持することができる。
【００１６】
また、例えば、底部を取り付け部内周面に嵌合させたとき、支持縁部の上面側で縦断端部が対応する部位に、支持縁部面に対して凸状に突き出した形成で形成すれば、前記取り付け部内周面に該押圧片が底部外周縁を押圧することで商品見本体を保持することができる。
【００１７】
また、上述した押圧片を一つのホルダー装置に形成してもよい。
【００１８】
さらに、他の発明の形態として、前記鍔部の上面側で、且つ、立設される前記商品見本体の底部における縦断端部と対向する部位に前記縦断端部が差し込まれたとき、前記商品見本体の底部を前記鍔部の上面に押圧する押圧片を形成して前記対接部を前記鍔部の上面に設定し、前記見本体保持部を前記押圧片に設定することができる。
【００１９】
このように構成すれば、商品見本体を取り付けたとき展示台の前側に位置する外周縁部の全部を突き出し爪によって隠すことができるため、見栄えをよくすることができる。
【００２０】
【発明の効果】
この発明によれば、展示台の開口部に対するホルダー装置の取り付けは、下部に形成した取り付け部を開口部に対して嵌合させるだけで取り付けることができる。
【００２１】
よって、開口部の口縁に対してホルダー装置を臨ませたり、係止する必要もなく、容易にホルダー装置を開口部に取り付けることができ、且つ、開口部の口縁に係止する係止部等を別途、取り付け部に形成する必要もないため、構造をシンプルにでき、コストも抑えることができる。
【００２２】
商品見本体のホルダー装置への保持についても商品見本体の底部をホルダー装置の見本体保持部によって押圧することにより容易に保持することができる。
【００２３】
例えば、ホルダー装置と開口部とを商品見本体を介して取り付けた場合、ホルダー装置を支える鍔部にはホルダー装置自体の重量が加わり、且つ、取り付け部と開口部の口縁と互いに嵌合することにより、底部の外周縁部を押圧して確実に商品見本体を保持することができる。
【００２４】
しかも、上記構成を採るホルダー装置の場合、商品見本体を取り付ける特別な形態の保持部を新たに形成する必要がなく、鍔部を保持部に兼用でき、且つ、取り付け部も開口部に嵌合させるだけのであるためホルダー装置をシンプルに構成でき、且つ、コストも抑えることができる。
【００２５】
また、押圧片を形成した他の構造を採るホルダー装置の場合、該押圧片で商品見本体の底部を押圧することにより、確実に取り付けることができ、且つ、商品見本体のホルダー装置への取り付けも、該ホルダー装置を開口部に取り付けてからでも、又は開口部に取り付ける前でもホルダー装置に取り付けることができるので取り付けも任意の手順で行うことができる。
【００２６】
【発明の実施の形態】
この発明の一実施形態を、以下図面を用いて説明する。図１に示すごとく、人頭高さ位置に展示部１２を形成し、該展示部１２の下部には展示台１３を形成し、該展示部１２に縦に半割り状のハーフ商品見本体１６（以下、商品見本体１６という。）が等間隔に陳列した自動販売機１１を示している。
【００２７】
また、図２に示すごとく前記商品見本体１６は、ボトル型商品（例えば飲み物が封入されたペットボトル）を縦に略半割りにして正面視から視ればボトル型商品と略酷似する外観、及び、意匠に形成している。さらに、該商品見本体１６はボトル型商品の蓋部も含めて全て樹脂フィルムで形成され、以下、実施形態で説明し易いように胴部２１と底部２３の２部位に分ける。該底部２３は底板２５と底板２５の外周縁部２４のことを示し、さらに、該底板２５の外周縁部２４上部には凹溝状の係止部２４ａと該係止部２４ａの下側の凸部２４ｂを備えて形成している。また、胴部２１は、底部２３の上側を示し、該胴部２１には、それぞれ商品ごとのラベルが印刷されており、（図示せず）、該ラベルを、明瞭に表示するとともに、前記商品見本体１６自体を立体的に発光させることができる光源２８を前記展示台１３の下側に備えている。
【００２８】
さらに、展示台１３に対して商品見本体１６を取り付けるために、該展示台１３の上面には、該商品見本体１６を陳列する所定の間隔ごとに開口部２７を形成している。ただし、前記自動販売機１１はボトル型商品の見本体に限らずにボトル型よりやや径大な缶型の商品見本体１６であっても展示可能とするために、開口部２７を全て最大径の缶型の商品見本体１６の底部２３に対応する大きさで形成している。
【００２９】
前記開口部２７にボトル型の商品見本体１６を取り付ける場合は、ボトル型商品見本体１６でも保持することができ、且つ、開口部２７にも取り付けることができるホルダー装置３１を介して商品見本体１６を開口部２７に取り付ける。
【００３０】
図３に示すごとく、前記開口部２７は、展示台１３に対して平面視円形で貫通する貫通穴であって、該貫通穴の外周部における対向する一部位にそれぞれ角形の切り欠き部２７ｂを備えた形状で形成している。さらに、図３、４に示す如く前記ホルダー装置３１は、合成樹脂製であり、下部に前記開口部２７と着脱可能に嵌合する円筒形の取り付け部３３を形成し、該取り付け部３３の上下方向の長さは、開口部の口縁２７ａの厚みよりやや長く、つまり、立設した商品見本体１６が倒れようとしても取り付け部３３が開口部２７から外れない長さに形成し、該取り付け部３３の上側には鍔部３２を形成している。該鍔部３２の内径は、取り付け部３３の内径と同一に形成し、鍔部３２の外径は、商品見本体１６の底部２３の内側に入り得る大きさであって、且つ、前記取り付け部３３の外径よりも大きく、つまり、開口部の口縁２７ａに当接してホルダー装置３１自体の重量を支えることができる大きさで形成している。
【００３１】
図５に示すごとく、以上の構成を採るホルダー装置３１は、次のようにして開口部２７へ、及び、商品見本体１６を取り付ける。まず、商品見本体１６の底部２３における縦断端部２２から底部２３の内側に、ホルダー装置３１の鍔部３２、取り付け部３３を共に差し込む（手順Ａ）。
【００３２】
このように、差し込んだホルダー装置３１における取り付け部３３下面を商品見本体１６における底板２５に当接させるとともに、取り付け部３３外周面、及び、鍔部３２下面を商品見本体１６における底板２５の外周縁部２４に当接させる（手順Ｂ）。
【００３３】
このように、ホルダー装置３１の略半分が商品見本体１６の内側に差し込まれた形態で、且つ、該ホルダー装置３１を展示台１３の上面に対して水平に保った状態のまま、ホルダー装置３１の取り付け部３３を開口部２７に嵌合させると、ホルダー装置３１は、商品見本体１６の底部２３を介して開口部２７に取り付けることができるとともに、商品見本体１６も確実に保持することができる（手順Ｃ）。
【００３４】
具体的には、ホルダー装置３１が開口部２７へ、及び商品見本体１６に取り付いた状態（手順Ｃ）において、ホルダー装置３１の鍔部３２には、ホルダー装置３１自体を支持するために、該ホルダー装置３１の自重が加わる。よって、該ホルダー装置３１の自重により、鍔部３２の下面は、底板２５の外周部２４を開口部２７の口縁２７ａへ押圧する。
また、ホルダー装置３１の取り付け部３３と開口部２７との嵌合によっても、商品見本体１６の底板２５の外周部２４は押圧される。
このように、商品見本体１６の底板２５の外周部２４には、上述した２つの押圧する力が働き、商品見本体１６を確実に保持することができる。
【００３５】
しかも、上記したホルダー装置３１を商品見本体１６、及び、開口部２７に取り付けた状態（手順Ｃ）において、商品見本体１６における底板２５の外周部２４の凸部２４ｂは、展示台１３における開口部２７の口縁２７ａの下面と係合し、開口部２７と嵌合している取り付け部３３が開口部２７から抜け出して商品見本体１６が傾倒しないように、抜け止めとして補強している。
【００３６】
次に、図６はホルダー装置３１の他の実施形態を示し、図においてホルダー装置６１の構成は、商品見本体１６の内側へホルダー装置６１の前方略半分を差し込んだ状態（図５で示す手順Ｂ）において、商品見本体１６の底部２３が差し込まれていない鍔部３２の外周部における部位の外径を１まわり大きくした突出爪（段部）６４ａを左右に形成し、さらに、取り付け部３３の前方下端の一部分に、前方に突き出した突出爪（凸部）６４ｂを形成している。
【００３７】
上記構成により、図７に示すごとく、商品見本体１６の内側へホルダー装置６１の前方略半分を差し込んだ時には、商品見本体１６の鍔部６２外周部に対応する商品見本体１６における縦断端部２２が鍔部３２に形成した左右の突出爪（段部）６４ａに当接する。
【００３８】
このように、突出爪（段部）６４ａは、商品見本体１６の縦断端部２２と、突出爪（段部）６４ａ、６４ａとが当接することにより、商品見本体１６の回り止めとして作用する。
【００３９】
さらに、前記突出爪（凸部）６４ｂが商品見本体１６の底部２３における外周縁部２４の凸部２４ｂの内側（凹部）と嵌合するとともに、突出し爪（凸部）６４ｂと開口部２７の口縁２７ａの下面とで、外周縁部２４の凸部２４ｂを押圧する。これにより、商品見本体１６がホルダー装置６１ごと開口部２７から抜け出したり、傾倒しにくくなる。よって、上述した突出爪（段部）６４ａ、突出爪（凸部）６４ｂを形成することにより、商品見本体１６をさらに確実に保持することができる。
【００４０】
次に、図８、図９はホルダー装置３１、６１の他の実施形態を示し、当該ホルダー装置８１は、前記開口部２７に対して上述したホルダー装置３１、６１の構成と同様に、前記開口部２７に対して着脱可能に嵌合する筒状の取り付け部８３を形成し、前記取り付け部８３の上側に、前記開口部２７の口縁２７ａの上部に載置される大きさの鍔部８２を形成し、前記筒状の取り付け部８３の内周面における下部に鍔状の支持縁部８４を形成している。さらに、前記支持縁部８４の上面側で、且つ、当該ホルダー装置８１の上下方向の中央部を隔てた左右両側に縦断面Ｌ形の押圧片８５を形成した構成を採る。
【００４１】
また、前記押圧片８５は、支持縁部８４の上面であって、且つ、ホルダー装置８１を商品見本体１６の内側に差し込んだ時、商品見本体１６の縦断端部２２に対応する位置から延設している。
また、前記押圧片８５の下面高さは、支持縁部２７ａの上面と同じ高さで前記押圧片８５を延設している。
なお、支持縁部８４の上面であって、押圧片８５の下側に相当する部位には、商品見本体１６を差し込み易いように、及び、金型により、ホルダー装置８１を製造する際に押圧片８５を形成し易いようにするため、該前記支持縁部８４は、設けていない。
【００４２】
以上の構成を採るホルダー装置８１の取り付けは、図１０に示すごとく、ホルダー装置８１における各押圧片８５、８５の延設方向がそれぞれ自動販売機１１から視て前方を向くように、ホルダー装置８１における取り付け部８３を開口部２７に対して嵌合して取り付ける（手順Ａ）。
【００４３】
さらに、商品見本体１６の縦断端部２２側を押圧片８５の遊端部側に臨ませて（手順Ｂ）、該押圧片８３に商品見本体１６の内側を差し込んで取り付ける。商品見本体１６の前部はその底部２３を開口部２７の口縁２７ａに押圧することによって、商品見本体１６の係止部２４ａが切り欠き部８６を介して開口部２７の口縁２７ａと係合する（手順Ｃ）。
【００４４】
このように商品見本体１６を取り付ければ、押圧片８５が支持縁部８４に対して商品見本体１６の底板２５を上下方向から押圧する。さらに、商品見本体１６が押圧片８５に差込まれたときに、商品見本体１６の縦断端部２２は押圧片８５の奥端に当接するため、該押圧片８５の奥端は、商品見本体１６の外周縁部２４を取り付け部８３内周面（つまり前方向）に押圧する（手順Ｃ）。
【００４５】
このよに、商品見本体１６の底部２３を上下方向、及び、前後方向の両側から押圧することで、商品見本体１６を確実に保持することができる。
【００４６】
上述の手順により、ホルダー装置８１は商品見本体１６、及び、開口部２７に取り付けることができるが、上述した手順とは逆に、商品見本体１６を先にホルダー装置１０１に取り付けて、商品見本体１６と一体にした後、該ホルダー装置８１を開口部２７に取り付けることもできる。
【００４７】
以上、説明したホルダー装置３１、６１、８１は全て、展示台１３の上面よりも下側で商品見本体１６の底部２３を取り付けて保持している。このように商品見本体１６を取り付ければ、商品見本体１６における底部２３に形成した係止部２４ａ等の凹凸等が利用者の視界に入ることもないため、商品見本体１６を展示した時の見栄えもよい。
【００４８】
図１０、図１１は、さらに他のホルダー装置１０１の実施形態を示し、当該ホルダー装置１０１の下部に取り付け部１０２を形成し、該取り付け部３３の上側には、鍔部１０３を形成している。前記鍔部１０３の平面視における外形は、取り付け部１０２を開口部２７に取り付けたときの前方側が半円弧形に形成し、後方側は左右後端部の角部にＲを付け、左右Ｒ端を線分で繋いだ角形状に形成して、前後両側を互いに一体にした形状である。さらに、鍔部１０３の上面で、且つ、前記後方側には、前記商品見本体１６の底板全体を覆う大きさの前記逆Ｕ字形をした押え込み片１０２を前方に向けて延設している。
【００４９】
このような、構成を採るホルダー装置１０１の取り付けは、前述した押圧片１０２を有するホルダー装置１０１の実施例と同様であるが、商品見本体１６の底部２３を上述したホルダー装置８１の如く、支持縁部８４に載置するために、筒状の取り付け部８３の内周面に嵌合する必要がないため、容易に取り付けることができ、且つ、上述した押圧片８５よりも大きな押圧片１０４を形成できるため、商品見本体１６における底板２５の略全体を鍔部１０３の上面に押圧することができ、より強固に商品見本体１６を保持することができる。
【００５０】
さらに、確実に保持したい場合は、図１３に示すごとく、前記鍔部１０３に当接する商品見本体１６の底板２５の縦断端部２２と前記底板２５の前部とに対応する前記鍔部１０３おける各部位に、上方へそれぞれ突き出して、前記底部２３を前後側から押圧する突出爪（前部側）１１３ｂ、突出爪（縦断端部側）１１３ａをそれぞれ形成してもよい。
【００５１】
Ｕ字形の押圧片１０２により商品見本体１６における底板２５を上下方向に押圧するとともに、底板２５の外周縁部２４を前後方向に押圧できる。よって、突出爪（前部側）１１３ｂ、突出爪（縦断端部側）１１３ａは、商品見本体１６の回り止めとしての機能も有する。
【００５２】
さらに、商品見本体１６を取り付けた時、商品見本体１６の底部２３が展示台１３の上面よりも上側に位置するが、商品見本体１６の底部２３を突出爪（前部側）１１３ｂによって隠すこともできるため見栄えを保つことができる。
【００５３】
この発明は、上述の実施形態の構成のみに限定されるものではなく、多くの実施の形態を得ることができる。
【図面の簡単な説明】
【図１】自動販売機の外観図。
【図２】図１で示したＡ−Ａ線視における拡大断面図。
【図３】ホルダー装置と開口部を示す外観図。
【図４】ホルダー装置の平面図（ａ）、正面図（ｂ）、底面図（ｃ）。
【図５】図３で示したホルダー装置の取り付け説明図。
【図６】他の例のホルダー装置を示す外観図。
【図７】他の例のホルダー装置の取り付け状態を一部断面で現した右側面図。
【図８】さらに他の例のホルダー装置を示す外観図。
【図９】ホルダー装置の平面図（ａ）、Ｂ−Ｂ断面図（ｂ）、底面図（ｃ）。
【図１０】図７で示したホルダー装置の取り付け説明図。
【図１１】手段の他の例のホルダー装置を示す外観図。
【図１２】さらに手段の他の例のホルダー装置の平面図（ａ）、Ｃ−Ｃ断面図（ｂ）。
【図１３】さらに手段の他の例のホルダー装置の取り付け状態図。
【符号の説明】
１１…自動販売機
１６…ハーフ商品見本体
２２…縦断端部
２３…底部
２５…底板
２７…開口部
３１、６１、８１、１０１…ホルダー装置
３２、６２、８２、１０３…鍔部
３３、６３、８３、１０２…取り付け部
８４…支持縁部
８５、１０４…押圧片
１１３ａ…突き出し爪（縦断端部側）
１１３ｂ…突き出し爪（前部側）
【図１】
2004240603.tif 000003
【図２】
2004240603.tif 000004
【図３】
2004240603.tif 000005
【図４】
2004240603.tif 000006
【図５】
2004240603.tif 000007
【図６】
2004240603.tif 000008
【図７】
2004240603.tif 000009
【図８】
2004240603.tif 000010
【図９】
2004240603.tif 000011
【図１０】
2004240603.tif 000012
【図１１】
2004240603.tif 000013
【図１２】
2004240603.tif 000014
【図１３】
2004240603.tif 000015